(57)【特許請求の範囲】
【請求項１】
インターネットを使用して音声通話を行うＩＰ電話機の電話番号と、この電話番号に対応するＩＰアドレスとを記憶しているＳＩＰサーバを、画像データを送受信するために利用するデータ送受信システムであって、
受信者のＩＰ電話機の電話番号に対応する送信者のＩＰ電話機の電話番号を記憶する第１のデータベースと、前記画像データを送信する送信者のＩＰ電話機の電話番号と、該画像データを受信する受信者のＩＰ電話機の電話番号と、該画像データを識別する識別情報とを、１組にして記憶する第２のデータベースとを記憶する記憶装置と、
前記識別情報の画像データを記憶する配信装置と、
画像データを受信するためのアクセスが受信者の通信装置からあると、該通信装置のＩＰアドレスを前記ＳＩＰサーバに送信することで該ＩＰアドレスに対応する電話番号を該ＳＩＰサーバから受信し、該ＳＩＰサーバから得た受信者の電話番号に対応する送信者の電話番号を前記第１のデータベースから取得し、該ＳＩＰサーバから得た受信者の電話番号と、該第１のデータベースから得た送信者の電話番号とを基に、画像データの識別情報を第２のデータベースから取得し、該識別情報の画像データを前記ＩＰアドレスに送信する送信指示を前記配信装置に送信する管理装置と、
を備え、
前記配信装置は、前記管理装置からの送信指示を受け取ると、前記識別情報に対応する画像データを読み出し、指示されたＩＰアドレスに対して該画像データを送信する、
ことを特徴とするデータ送受信システム。
【請求項２】
前記管理装置は、画像データと共に該画像データを受信する受信者のＩＰ電話機の電話番号を、送信者の通信装置から受信すると、該通信装置のＩＰアドレスを前記ＳＩＰサーバに送信することで該ＩＰアドレスに対応する電話番号を該ＳＩＰサーバから受信し、送信者の該通信装置から受信した電話番号と、該ＳＩＰサーバから受信した電話番号と、該画像データの識別情報とを、１組にして前記第２のデータベースに記憶すると共に該画像データを前記配信装置に記憶する、
ことを特徴とする請求項１に記載のデータ送受信システム。
【請求項３】
前記受信者の通信装置には受信装置が接続され、
前記受信装置は、テレビと、該テレビによる前記インターネットの利用を可能にするセットトップボックスとを備え、該セットトップボックスは前記通信装置から画像データを受け取ると、該画像データにより画像を該テレビに表示する、
ことを特徴とする請求項１または２のいずれか１項に記載のデータ送受信システム。
【発明の詳細な説明】
【技術分野】
【０００１】
この発明は、映像等のデータを送受信するためのデータ送受信システムに関する。
【背景技術】
【０００２】
デジタルムービーカメラ等によって撮影された映像等の動画データ（動画ファイル）は、インターネットを活用することで、自宅に居ながらにして送信したい相手に送ることができる。受信側でも、同様にインターネットを経由して、動画データを受信することができる。
【０００３】
動画データを相手に送信するために、
ａ１．電子メールに動画データを添付して送信する
ａ２．オンラインストレージを利用して動画データ共有する
ａ３．ＦＴＰソフトを利用して動画データを送信する
という方法がある。これらの方法により、動画データを相手先へ送信することができる。動画データの受信者はパソコンでデータを受け取る。受け取った動画データを視聴する場合には、通常、受信者はパソコンで再生する。また、受け取った動画データをテレビで見たい場合、受信者は、ＣＤ、ＤＶＤ等の大容量記憶媒体にコピーし、その媒体をＤＶＤレコーダー等で再生する。このような方法によって、動画データの受信者はテレビで映像を視聴している。
【０００４】
こうした従来の状況に対して、大容量の動画データを送信する方法としては、次のシステムがある（例えば、特許文献１参照。）。このシステムは、インターネットプロトコル（Ｉｎｔｅｒｎｅｔ−Ｐｒｏｔｏｃｏｌ）を用いた電話機（以下、「ＩＰ電話機」という）を利用し、接続されたＩＰ電話機に対して動画データを配信する。配信された動画データによりＩＰ電話機が画像を表示する。
【先行技術文献】
【特許文献】
【０００５】
【特許文献１】特開２００３−１１０７３６号公報
【発明の概要】
【発明が解決しようとする課題】
【０００６】
しかし、従来の方法やシステムには次の課題がある。上記ａ１〜ａ３の方法によれば、受信した動画データを視聴するために、受信者がパソコンを必要とする、という課題がある。また、この方法では、動画データをテレビで見たい場合、ＣＤ、ＤＶＤ等の大容量記憶媒体に、受信した動画データをコピーする必要があり、ＤＶＤ等を再生する再生装置も必要である。
【０００７】
一方、先に述べたシステムでは、動画を表示するために、動画データから動画を表示する機能を持つ、特別なＩＰ電話機を必要とする。つまり、このシステムでは、専用の表示端末を必要とする、という課題がある。
【０００８】
この発明の目的は、前記の課題を解決し、パソコンや専用の端末、再生装置等を用いなくても、画像の再生を可能にするデータ送受信システムを提供することにある。
【課題を解決するための手段】
【０００９】
前記の課題を解決するために、請求項１の発明は、インターネットを使用して音声通話を行うＩＰ電話機の電話番号と、この電話番号に対応するＩＰアドレスとを記憶しているＳＩＰサーバを、画像データを送受信するために利用するデータ送受信システムであって、受信者のＩＰ電話機の電話番号に対応する送信者のＩＰ電話機の電話番号を記憶する第１のデータベースと、前記画像データを送信する送信者のＩＰ電話機の電話番号と、該画像データを受信する受信者のＩＰ電話機の電話番号と、該画像データを識別する識別情報とを、１組にして記憶する第２のデータベースとを記憶する記憶装置と、前記識別情報の画像データを記憶する配信装置と、画像データを受信するためのアクセスが受信者の通信装置からあると、該通信装置のＩＰアドレスを前記ＳＩＰサーバに送信することで該ＩＰアドレスに対応する電話番号を該ＳＩＰサーバから受信し、該ＳＩＰサーバから得た受信者の電話番号に対応する送信者の電話番号を前記第１のデータベースから取得し、該ＳＩＰサーバから得た受信者の電話番号と、該第１のデータベースから得た送信者の電話番号とを基に、画像データの識別情報を第２のデータベースから取得し、該識別情報の画像データを前記ＩＰアドレスに送信する送信指示を前記配信装置に送信する管理装置と、を備え、前記配信装置は、前記管理装置からの送信指示を受け取ると、前記識別情報に対応する画像データを読み出し、指示されたＩＰアドレスに対して該画像データを送信する、ことを特徴とするデータ送受信システムである。
【００１０】
請求項１の発明では、第１の記憶装置が、受信者のＩＰ電話機の電話番号に対応する送信者のＩＰ電話機の電話番号を記憶する第１のデータベースと、画像データを送信する送信者のＩＰ電話機の電話番号と、画像データを受信する受信者のＩＰ電話機の電話番号と、画像データを識別する識別情報とを、１組にして記憶する第２のデータベースとを記憶している。また、第２の記憶装置が記識別情報の画像データを記憶している。こうした状態のときに、管理装置は、画像データを受信するためのアクセスが受信者の通信装置からあると、通信装置のＩＰアドレスをＳＩＰサーバに送信することでＩＰアドレスに対応する電話番号をＳＩＰサーバから受信する。この後、管理装置は、ＳＩＰサーバから得た受信者の電話番号に対応する送信者の電話番号を第１のデータベースから取得し、ＳＩＰサーバから得た受信者の電話番号と、第１のデータベースから得た送信者の電話番号とを基に、画像データの識別情報を第２のデータベースから取得する。この後、管理装置は、識別情報の画像データをＩＰアドレスに送信する送信指示を第２の記憶装置に送信する。第２の記憶装置は、管理装置からの送信指示を受け取ると、識別情報に対応する画像データを読み出し、指示されたＩＰアドレスに対して画像データを送信する。
【００１１】
請求項２の発明は、請求項１に記載のデータ送受信システムにおいて、前記管理装置は、画像データと共に該画像データを受信する受信者のＩＰ電話機の電話番号を、送信者の通信装置から受信すると、該通信装置のＩＰアドレスを前記ＳＩＰサーバに送信することで該ＩＰアドレスに対応する電話番号を該ＳＩＰサーバから受信し、送信者の該通信装置から受信した電話番号と、該ＳＩＰサーバから受信した電話番号と、該画像データの識別情報とを、１組にして前記第２のデータベースに記憶すると共に該画像データを前記配信装置に記憶する、ことを特徴とする。
【００１２】
請求項３の発明は、請求項１または２のいずれか１項に記載のデータ送受信システムにおいて、前記受信者の通信装置には受信装置が接続され、前記受信装置は、テレビと、該テレビによる前記インターネットの利用を可能にするセットトップボックスとを備え、該セットトップボックスは前記通信装置から画像データを受け取ると、該画像データにより画像を該テレビに表示する、ことを特徴とする。
【発明の効果】
【００１３】
請求項１の発明によれば、パソコンや専用の端末等を不要にして、画像データを得ることを可能にする。また、この発明によれば、ＩＰ電話機の電話番号と通信装置のＩＰアドレスとを利用して、画像データを得ることができるので、複雑なＩＤやパスワードを用いるログインのための操作を不要にすることができる。さらに、この発明によれば、画像を視聴する受信者の電話番号として、ＳＩＰサーバから得たものを用いるので、セキュリティを強化することができる。
【００１４】
請求項２の発明によれば、画像データの送信は、受信者の電話番号と、送信者の通信装置のＩＰアドレスとで行うことができ、複雑なＩＤ・パスワードを用いるログイン処理が不要である。また、この発明によれば、画像データを記憶する際に必要とする送信者の電話番号として、ＳＩＰサーバから得たものを用いるので、セキュリティを強化することができる。
【００１５】
請求項３の発明によれば、セットトップボックスを介在して、テレビを通信装置に接続することにより、テレビを用いた画像の視聴を可能にする。
【図面の簡単な説明】
【００１６】
【図１】この発明の実施の形態１によるデータ送受信システムを示す構成図である。
【図２】電話帳データベースの一例を示す図である。
【図３】保存データの一例を示す図である。
【図４】配信処理の一例を示すフローチャートである。
【図５】保存情報データベースの一例を示す図である。
【図６】設定情報データベースの一例を示す図である。
【図７】設定処理の一例を示すフローチャートである。
【図８】設定画面の一例を示す図である。
【図９】保存処理の一例を示すフローチャートである。
【図１０】送信ホームページの一例を示す図である。
【図１１】視聴処理の一例を示すフローチャートである。
【図１２】動画視聴画面の一例を示す図である。
【図１３】動画データの送信を示すタイムチャートである。
【図１４】動画データの受信を示すタイムチャートである。
【発明を実施するための形態】
【００１７】
次に、この発明の各実施の形態について、図面を用いて詳しく説明する。
【００１８】
（実施の形態１）
この実施の形態によるデータ送受信システムを図１に示す。このデータ送受信システムは、インターネットＮＷを使用してＩＰ電話機による音声通話を行うＩＰ電話網を、画像データを配信する配信サービスに利用している。図１ではユーザ１〜ユーザ４に対して、データ送受信システムが画像データの配信サービスを提供している。画像データは、コンテンツデータであり、動画を表示するための動画データおよび写真等の静止画を表示するための静止画データ等である。この実施の形態では、画像データとして動画データを例として説明する。
【００１９】
まず、ユーザ１〜ユーザ４が持つ各装置について説明する。図１では、ユーザ１はルータ１Ａに対してＩＰ電話機１Ｂとパソコン（ＰＣ）１Ｃとを接続している。ルータ１Ａは、パソコン１Ｃを含むユーザ１のネットワークをインターネットＮＷに接続するための通信装置であり、インターネットＮＷによるデータの送受信を可能にする。データの送受信のために、ルータ１Ａには固有のＩＰアドレスが割り当てられている。図１では、ルータ１ＡのＩＰアドレスは「１１．２２．３３．３」であ。ＩＰ電話機１Ｂは、インターネットＮＷを利用して、音声等の送受信を行う。ＩＰ電話機１Ｂには、インターネットＮＷを利用して通信を行うための、固有の電話番号が割り当てられている。図１では、ＩＰ電話機１Ｂの電話番号は「１１１−１１１１」である。同じように、ユーザ２はルータ２Ａに対してＩＰ電話機２Ｂとパソコン（ＰＣ）２Ｃとを接続している。ルータ２ＡのＩＰアドレスが「１１．２２．３３．４」であり、ＩＰ電話機２Ｂの電話番号が「１１１−２２２２」である。
【００２０】
さらに、図１では、ユーザ３はルータ３Ａに対してＩＰ電話機３Ｂと、セットトップボックス（ＳＴＢ）３Ｃとを接続している。セットトップボックス３Ｃは、リモコン３Ｃ１によって操作される。セットトップボックス３Ｃは、テレビ３Ｄと共に用いられる装置であり、テレビ３Ｄを使用して各種のサービスをインターネットＮＷから受けることを可能にする。この実施の形態では、セットトップボックス３Ｃは、ルータ３Ａを用いて、インターネットＮＷに対するテレビ３Ｄの接続を可能にする機能を、少なくとも持つ。つまり、ユーザ３側では、通信装置であるルータ３Ａに対して、セットトップボックス３Ｃとテレビ３Ｄとから成る受信装置が接続されている。そして、インターネットＮＷに対する接続操作等は、セットトップボックス３Ｃのリモコン３Ｃ１によって行われる。
【００２１】
ユーザ３のルータ３Ａはユーザ１のルータ１Ａと同様であり、ルータ３ＡのＩＰアドレスは「５５．６６．７７．８」である。また、ユーザ３のＩＰ電話機３Ｂはユーザ１のＩＰ電話機１Ｂと同様であり、ＩＰ電話機３Ｂの電話番号は「３３３−４４４４」である。
【００２２】
同じように、ユーザ４はルータ４Ａに対して、ＩＰ電話機４Ｃとセットトップボックス（ＳＴＢ）４Ｃとを接続している。さらに、セットトップボックス４Ｃには、テレビ（ＴＶ）４Ｄが接続されている。セットトップボックス４Ｃはリモコン４Ｃ１で操作される。ユーザ４のルータ４ＡのＩＰアドレスは「５５．６６．７７．９」であり、ＩＰ電話機４Ｃの電話番号が「３３３−５５５５」である。
【００２３】
こうしたＩＰ電話機１Ｂ〜４ＢとインターネットＮＷとＳＩＰサーバ３０とから成るＩＰ電話網を利用する、この実施の形態によるデータ送受信システムは、コンテンツ配信サーバ１０と、コンテンツ管理サーバ２０とを備え、コンテンツ配信サーバ１０とコンテンツ管理サーバ２０とは、配信サービスを行う配信サービス提供者側に設置されている。次に、コンテンツ配信サーバ１０とコンテンツ管理サーバ２０とＳＩＰサーバ３０とについて説明する。
【００２４】
ＳＩＰサーバ３０は、ＩＰ電話サーバであり、ＩＰ電話サービスを提供する提供者側に設置されている。ＳＩＰサーバ３０は、ＩＰ電話網を利用する各ユーザ、この実施の形態では、ユーザ１〜ユーザ４のＩＰアドレスと、このＩＰアドレスに対応する電話番号とを、電話帳データベースに記憶している。この電話帳データベースの一例を図２に示す。図２の電話帳データベースＤＢ１には、ユーザ１４のＩＰアドレス「１１．２２．３３．３」と、このＩＰアドレスに対応するＩＰ電話機の電話番号「１１１−１１１１」とを１組とし、この１組が１つのデータとして記憶されている。同じように、ユーザ２〜ユーザ４についても、ＩＰ電話機と電話番号とが記憶されている。
【００２５】
ＳＩＰサーバ３０は、特定のＩＰアドレスに対応するＩＰ電話機の電話番号を問い合わせる問合わせメッセージを、インターネットＮＷから受信すると、電話帳データベースを参照して、このメッセージに含まれるＩＰアドレスに対応する電話番号を調べる。このとき、ＳＩＰサーバ３０は、問合わせメッセージに含まれるＩＰアドレスが電話帳データベースに登録されているかをチェックする。また、ＳＩＰサーバ３０は、問合わせメッセージにＩＰ電話機の電話番号が含まれていると、この番号が電話帳データベースに登録されているかをチェックする。この後、ＳＩＰサーバ３０は、問合わせメッセージを送信したコンテンツ管理サーバ２０に対して、調べた電話番号を付加した応答メッセージをインターネットＮＷで送信する。
【００２６】
コンテンツ配信サーバ１０は、動画データを配信するためのコンピュータである。コンテンツ配信サーバ１０は、通信部１１と、制御部１２と、記憶部１３とを備えている。通信部１１は、インターネットＮＷとのデータの送受信を可能にする。制御部１２は、通信部１１を経て、コンテンツ管理サーバ２０から保存用の動画データを受信すると、この動画データをファイルとして、記憶部１３に記憶する。記憶部１３に記憶されている保存データの一例を図３に示す。この保存データでは、各ファイル名に応じた動画データが、例えば日付順に記憶されている。日付は動画データの属性データに含まれている。動画データの属性データには、動画のタイトルや、動画データの作成者なども含まれている。コンテンツ配信サーバ１０は動画データの記憶が終了すると、動画データのデータ保存の完了通知をコンテンツ管理サーバ２０に送信する。
【００２７】
コンテンツ配信サーバ１０の制御部１２は、通信部１１を経て、コンテンツ管理サーバ２０から配信指示を受信すると、図４に示す、動画データの配信処理を行う。制御部１２は、配信処理を開始すると、受信情報である配信指示に含まれるファイル名を調べ（ステップＳ１）、このファイル名に応じた動画データを、保存データ（図３）から読み出す（ステップＳ２）。この後、制御部１２は、受信情報である配信指示に含まれるＩＰアドレスを調べる（ステップＳ３）。次に、制御部１２は、ステップＳ２で読み出した動画データを、ステップＳ３で調べたＩＰアドレス宛に、通信部１１を経てインターネットＮＷに送信する（ステップＳ４）。なお、インターネットＮＷに接続されたパソコン等に対するデータなどの送受信は、通信部１１を経て行われるが、以下では通信部１１の記載を省略する。ステップＳ４が終了すると、制御部１２は配信処理を終了する。
【００２８】
コンテンツ管理サーバ２０は、画像データの配信サービスに関する各種の処理を行うと共に配信サービスに必要とするデータを記憶するコンピュータである。コンテンツ管理サーバ２０は、通信部２１と、制御部２２と、記憶部２３とを備えている。通信部２１は、コンテンツ配信サーバ１０の通信部１１と同様に、インターネットＮＷとのデータの送受信を可能にする。
【００２９】
コンテンツ管理サーバ２０の記憶部２３は、画像データの配信サービスに必要とするデータを記憶する。このために、記憶部２３は、制御部２２の制御により、動画データの保存情報を、保存情報データベースに記憶する。保存情報データベースの一例を図５に示す。この保存情報データベースＤＢ２では、動画データの保存情報として、動画データを送信した側のＩＰ電話機の電話番号を発信番号とし、動画データを受け取る側のＩＰ電話機の電話番号を着信番号として記憶し、送受信される動画データの識別情報としてファイル名を記憶する。
【００３０】
コンテンツ管理サーバ２０の記憶部２３は、制御部２２の制御により、どのユーザに動画を送るかを表す設定情報データベースを記憶する。この設定情報データベースの一例を図６に示す。この設定情報データベースＤＢ３では、動画データを受信するユーザ（受信者）と、このユーザ（受信者）のＩＰ電話機の電話番号とが記憶されている。さらに、このユーザ（受信者）が受け取る、動画データの送信元のＩＰ電話機の電話番号が記憶されている。この設定情報データベースＤＢ３により、例えば、ＩＰ電話機の電話番号「３３３−４４４４」のユーザ（受信者）は、ＩＰ電話機の電話番号「１１１−１１１１」のユーザ（送信者）と「１１１−２２２２」のユーザ（送信者）とからの動画データを受信する、という関係が表されている。
【００３１】
コンテンツ管理サーバ２０の制御部２２は、動画を視聴するユーザ（受信者）、図１ではユーザ３およびユーザ４による視聴の設定をするために、設定処理を行う。コンテンツ管理サーバ２０に対して、視聴の設定をするためのアクセスがユーザ（受信者）からあると、制御部２２は、図７に示す設定処理を開始し、設定画面をユーザ（受信者）のテレビ等に表示する（ステップＳ２１）。ステップＳ２１でテレビ等に表示される設定画面の一例を図８に示す。この設定画面には、動画の送信元のユーザ名、このユーザ（送信者）の電話番号を入力する入力欄２０１〜２０４が設けられている。さらに、設定画面には、入力欄２０１〜２０４に入力されたデータを新規登録するか削除するかを指定するための登録ボタン２０５、削除ボタン２０６が設けられている。
【００３２】
ステップＳ２１が終了すると、制御部２２は、設定画面の操作されたボタンが新規登録であるかどうかを判断する（ステップＳ２２）。ステップＳ２２で、操作されたボタンが新規登録であると、制御部２２は、コンテンツ管理サーバ２０にアクセスしたユーザ（受信者）の電話番号に対して、設定画面の入力欄２０１〜２０４に入力されたデータ、つまり送信元のデータを設定情報データベースに登録する（ステップＳ２３）。一方、ステップＳ２２で、操作されたボタンが削除であると、制御部２２は、設定画面の入力欄２０１〜２０４に入力されたデータ（送信元のデータ）を設定情報データベースから削除する（ステップＳ２４）。ステップＳ２３またはステップＳ２４が終了すると、制御部２２は設定処理を終了する。
【００３３】
コンテンツ管理サーバ２０の制御部２２は、データ送受信用のホームページに対して動画送信のためのアクセスがユーザ（送信者）のパソコンからあると、図９に示す、動画データの保存処理を行う。制御部２２は、保存処理を開始すると、通信部２１を経て、送信ホームページ（ＨＰ）を該当のパソコンに表示する（ステップＳ４１）。なお、インターネットＮＷに接続されたパソコン等に対するデータなどの送受信は、通信部２１を経て行われるが、以下では通信部２１の記載を省略する。ステップＳ４１でパソコンに表示される、送信ホームページ（ＨＰ）の一例を図１０に示す。この送信ホームページには、動画の送り先（受信者）の相手先電話番号、動画のタイトル、送信ファイル、および送り先が電子メールを利用していれば、相手先メールアドレスを入力する入力欄２１１〜２１４が設けられている。さらに、送信ホームページには、入力欄２１１〜２１４に入力されたデータを保存動画データとして送信するための送信ボタン２１５が設けられている。
【００３４】
ステップＳ４１の後、制御部２２は、パソコンから相手先（受信者）の電話番号、動画データのタイトル、動画データ等を受信し（ステップＳ４２）、送信ホームページにアクセスした送信元（送信者）のＩＰアドレスを調べる（ステップＳ４３）。この後、制御部２２は、電話番号を問い合わせる問合わせメッセージを生成し（ステップＳ４４）、この問合わせメッセージにステップＳ４３で調べたＩＰアドレス、つまり送信元（送信者）のＩＰアドレスと、相手先（受信者）の電話番号とを付加してＳＩＰサーバ３０に送信する（ステップＳ４５）。
【００３５】
ステップＳ４５の後、制御部２２は、ＳＩＰサーバ３０から応答メッセージを受信すると（ステップＳ４６）、このメッセージに付加されている電話番号、つまりアクセスしてきた送信元（送信者）のＩＰ電話機の電話番号を発信番号とし、保存動画データが示す相手先（受信者）の電話番号を着信番号とし、さらに、保存動画データが示す送信ファイルの名前をファイル名とし、これらをセットにして保存情報データベースに登録すると共に動画データをコンテンツ配信サーバ１０に保存する（ステップＳ４７）。この後、コンテンツ配信サーバ１０からのデータ保存の完了通知により、動画データの登録完了をホームページに表示する（ステップＳ４８）。
【００３６】
ステップＳ４８が終了すると、制御部２２は、保存動画データの相手先メールアドレスの有無を調べる（ステップＳ４９）。ステップＳ４９で電子メールのアドレスがあると、このメールアドレスに対して、画像が登録されたことを表す電子メールを作成する（ステップＳ５０）。ステップＳ５０で作成される電子メールとしては、例えば「”○○”さんから、『○月○日遠足』が登録されました」というようなものがある。制御部２２は、ステップＳ５０で作成した電子メールを送信する（ステップＳ５１）。そして、ステップＳ５１が終了するか、また、ステップＳ４９で相手先メールアドレスが無ければ、制御部２２は保存処理を終了する。
【００３７】
コンテンツ管理サーバ２０のデータ送受信用のホームページに対して、動画視聴のアクセスがユーザ（受信者）のテレビ等からあると、制御部２２は、図１１に示す、動画データの視聴処理を行う。制御部２２は、視聴処理を開始すると、アクセスしてきたユーザ（受信者）のＩＰアドレスを調べる（ステップＳ６１）。この後、制御部２２は、電話番号を問い合わせる問合わせメッセージを生成し（ステップＳ６２）、この問合わせメッセージにステップＳ６１で調べたＩＰアドレス、つまりアクセスしてきたユーザ（受信者）のＩＰアドレスを付加してＳＩＰサーバ３０に送信する（ステップＳ６３）。
【００３８】
ステップＳ６３の後、制御部２２は、ＳＩＰサーバ３０から応答メッセージを受信すると（ステップＳ６４）、このメッセージに付加されている電話番号、つまりアクセスしてきた着信先（受信者）のＩＰ電話機の電話番号を調べる（ステップＳ６５）。次に、制御部２２は、ステップＳ６５で得た着信先（受信者）の電話番号に対応する送信元電話番号を、設定情報データベースを参照して調べる（ステップＳ６６）。
【００３９】
ステップＳ６６が終了すると、制御部２２は、ステップＳ６５で得た着信先の電話番号と、ステップＳ６６で得た送信元電話番号との両方にヒットするデータを、保存情報データベースから抽出する（ステップＳ６７）。この後、制御部２２は、コンテンツ配信サーバ１０に対して、抽出したデータに対応する動画データの有無を問い合わせて、データの有りの通知をコンテンツ配信サーバ１０から受け取ることにより、抽出した動画データを確認する（ステップＳ６８）。ステップＳ６８が終了すると、制御部２２は、ステップＳ６７で抽出したデータを示す受信ホームページ（動画視聴画面）をテレビ等に表示する（ステップＳ６９）。ステップＳ６９で表示される、受信ホームページの一例を図１２に示す。制御部２２は、ステップＳ６７で抽出した動画データのファイル名を選択欄２２１〜２２４に表示し、動画データの属性データを基に、動画の作成者やタイトル、日付を表示する。
【００４０】
ステップＳ６９が終了すると、制御部２２は、ユーザ（受信者）のテレビ等から動画選択情報を受信する（ステップＳ７０）。動画選択情報は、ユーザ（受信者）のテレビ等に動画視聴画面が表示された場合に、この画面の選択欄が選択されたときに、選択欄のファイル名を含む情報である。この動画選択情報には、ユーザ（受信者）のＩＰアドレスなども含まれる。ステップＳ７０の後、制御部２２は、動画の配信を指示する配信指示を生成すると共に、この配信指示に対して、動画選択情報を基にして、動画データのファイル名と、ユーザ（受信者）である着信先のＩＰアドレスとを付加する（ステップＳ７１）。
【００４１】
この後、制御部２２は、ステップＳ７１で生成した配信指示をコンテンツ配信サーバ１０に送信して（ステップＳ７２）、視聴処理を終了する。
【００４２】
このように、コンテンツ管理サーバ２０は、動画を視聴するための各種の処理を行う。次に、この実施の形態の作用について説明する。
【００４３】
まず、動画データの着信先である動画視聴者（受信者）は、送信元である動画送信者を設定する。このために、例えば図１では、ユーザ３は、リモコン３Ｃ１を用いてセットトップボックス３Ｃを操作し、コンテンツ管理サーバ２０にアクセスする。これにより、コンテンツ管理サーバ２０は設定処理を行う。この処理が行われると、コンテンツ管理サーバ２０は、設定画面（図８）を開いたユーザ（受信者）と、このユーザ（受信者）の電話番号と、動画送信者の送信元電話番号とを、設定情報データベースに登録する。例えば、ユーザが図１のユーザ３である場合、設定情報データベースには、ユーザ３に対応して、このユーザ３の電話番号「３３３−４４４４」と、動画送信者であるユーザ１の送信元電話番号「１１１−１１１１」と、同じく動画送信者であるユーザ２の送信元電話番号「１１１−２２２２」とが登録される。
【００４４】
こうした設定が終了すると、設定処理を行ったユーザ（受信者）のテレビによる、登録された動画の視聴が可能な状態になる。
【００４５】
次に、ユーザ（送信者）が動画データをコンテンツ管理サーバ２０に送信する場合について、図１３のタイムチャートを参照して説明する。タイムチャートのステップＳ１０１で、ユーザはパソコンを操作して、コンテンツ管理サーバ２０のデータ送受信用のホームページにアクセスする。この後、ステップＳ１０２で、受信者の電話番号、送信する動画データ、動画データのタイトルをアップロードする。これらのステップは、コンテンツ管理サーバ２０が行う保存処理のステップＳ４１〜Ｓ４２に該当する。
【００４６】
データがアップロードされると、ＳＩＰサーバ３０は、タイムチャートのステップＳ１０３で、コンテンツ管理サーバ２０から入力された受信者の電話番号をチェックする。このステップにより受信者の加入がチェックされる。また、ＳＩＰサーバ３０は、ステップＳ１０４で、転送されたＩＰアドレスをチェックする。このステップにより送信者の加入がチェックされる。この後、ＳＩＰサーバ３０は、ステップＳ１０５により、転送されたＩＰアドレスから、送信者の電話番号を返す。これらのステップは、コンテンツ管理サーバ２０が行う保存処理のステップＳ４３〜Ｓ４６と、ＳＩＰサーバ３０の処理とに該当する。
【００４７】
コンテンツ管理サーバ２０は、ＳＩＰサーバ３０から電話番号を受け取ると、タイムチャートのステップＳ１０６で、送信者および受信者の両方の電話番号を付加してデータを保存する。この後、ステップＳ１０７で、コンテンツ配信サーバ１０によるデータの保存が完了すると、ステップＳ１０８により、動画送信者に対して、送信完了を通知する。これらのステップは、コンテンツ管理サーバ２０が行う保存処理のステップＳ４７、Ｓ４８に該当する。
【００４８】
ここで、動画送信者が電子メールのメールアドレスを送信した場合には、タイムチャートのステップＳ１０９により、このメールアドレスに対して、送信有りの通知を行う。このステップは、コンテンツ管理サーバ２０が行う保存処理のステップＳ４９〜Ｓ５１に該当する。
【００４９】
この後、ユーザ（受信者）が動画を視聴する場合について、図１４のタイムチャートを参照して説明する。タイムチャートのステップＳ２０１で、ユーザ（受信者）はリモコンを操作して受信画面を表示し、ステップＳ２０２で、テレビは受信ホームページへアクセスする。
【００５０】
受信ホームページがアクセスされると、タイムチャートのステップＳ２０３で、コンテンツ管理サーバ２０は、ユーザ（受信者）のアクセスしてきたＩＰアドレスをＳＩＰサーバ３０に転送する。これらのステップは、コンテンツ管理サーバ２０が行う視聴処理のステップＳ６１〜Ｓ６３に該当する。ＳＩＰサーバ３０は、入力されたユーザ（受信者）のＩＰアドレスをチェックする。これにより、受信者の加入がチェックされる。この後、ステップＳ２０４で、ＳＩＰサーバ３０は、ＩＰアドレスからユーザの電話番号を返す。これらのステップは、コンテンツ管理サーバ２０が行う視聴処理のステップＳ６４と、ＳＩＰサーバ３０の処理とに該当する。
【００５１】
タイムチャートのステップＳ２０５で、コンテンツ管理サーバ２０は、電話番号を受け取ると、この受信者の電話番号と、受信者が予め登録している、送信者の電話番号との両方が合致するデータを検索する。コンテンツ配信サーバ１０は、ステップＳ２０６でデータ有りを通知する。これらのステップは、コンテンツ管理サーバ２０が行う視聴処理のステップＳ６５〜Ｓ６８に該当する。
【００５２】
タイムチャートのステップＳ２０７で、コンテンツ管理サーバ２０は、２つの電話番号に合致するデータをセットトップボックスに送ると、データがテレビ画面に表示される。この後、ステップＳ２０８で、ユーザ（受信者）がリモコンを操作して動画を選択すると、ステップＳ２０９で、セットトップボックスは、コンテンツ管理サーバ２０に対して、選択された動画データの配信を指示する。これらのステップは、コンテンツ管理サーバ２０が行う視聴処理のステップＳ６９、Ｓ７０に該当する。
【００５３】
タイムチャートのステップＳ２１０で、コンテンツ管理サーバ２０は、コンテンツ配信サーバ１０に対して、選択された動画データの配信を指示する。このステップは、コンテンツ管理サーバ２０が行う視聴処理のステップＳ７１、Ｓ７２に該当する。コンテンツ配信サーバ１０は、動画データの配信の指示を受け取ると、ステップＳ２１１で、ユーザ（受信者）のセットトップボックスに対して、選択された動画データを配信する。このステップは、コンテンツ配信サーバ１０の配信処理に該当する。ユーザ（受信者）のセットトップボックスが動画データを受信すると、ステップＳ２１２で、ユーザのテレビは動画を表示し、ユーザが動画を視聴することができる。なお、ユーザ（受信者）がパソコン（図示を省略）をルータに接続していれば、このパソコンを用いた動画の視聴が可能である。
【００５４】
こうして、この実施の形態により、電子メールで送信できなかった大容量のファイルである動画データを簡単に送信でき、受信者もパソコンや専用の端末を不要にして、しかも、日常使用するテレビの操作だけで、簡単に視聴することを可能にする。また、ＤＶＤ等を再生する再生装置も不要である。
【００５５】
また、この実施の形態により、動画データのやり取りは、相手先の電話番号だけで行うことができ、複雑なＩＤ・パスワードを用いるログイン処理が不要である。
【００５６】
また、この実施の形態により、動画データを登録する送信者の電話番号として、送信者のＩＰアドレスを基にＳＩＰサーバ３０から得た電話番号を用い、動画を視聴する受信者の電話番号として、同じく受信者のＩＰアドレスを基にＳＩＰサーバ３０から得た電話番号を用いるので、なりすまし等が困難であり、セキュリティが強固なため、安心して動画データの配信を行うことができる。
【００５７】
また、簡単に動画データの送受信が行えるため、この仕組みを利用するユーザの利用機会の増加が可能である。さらに、これらの点から、顧客満足度の向上が可能である。
【００５８】
さらに、この実施の形態により、ＳＩＰサーバを使用して、受信者のルータのＩＰアドレスから電話番号を取得しているので、セキュリティの強化と、コンテンツ管理サーバ２０による電話帳の保存を不要にすることが可能である。
【００５９】
なお、この実施の形態では、動画を視聴するユーザがセットトップボックスを利用したが、テレビ自体がインターネットＮＷに対応していれば、セットトップボックスの使用は不要である。
【００６０】
（実施の形態２）
この実施の形態では、コンテンツ管理サーバ２０の制御部２２は、保存処理をする前に、次の監視処理を行う。なお、この実施の形態では、先に説明した実施の形態１と同一もしくは同一と見なされる構成要素には、それと同じ参照符号を付けて、その説明を省略する。
【００６１】
この実施の形態では、動画データの保存を許可する相手の電話番号の一覧を、コンテンツ管理サーバ２０の制御部２２が許可リスト（図示を省略）として、あらかじめ記憶部２３に記憶している。そして、制御部２２は、動画データの送信者の電話番号を受信したときに、この電話番号が許可リストにあるかどうかを調べる。もし、送信者の電話番後が許可リストにあると、制御部２２は保存処理を開始する。
【００６２】
こうして、この実施の形態によれば、許可した送信者からの動画データだけを保存することができる。これにより、コンテンツ管理サーバ２０の記憶部２３の負担を軽減することができる。
【００６３】
（実施の形態３）
この実施の形態では、コンテンツ管理サーバ２０の制御部２２は、保存処理をする前に、次の監視処理を行う。なお、この実施の形態では、先に説明した実施の形態１と同一もしくは同一と見なされる構成要素には、それと同じ参照符号を付けて、その説明を省略する。
【００６４】
この実施の形態では、動画データの保存を許可しない相手の電話番号の一覧を、コンテンツ管理サーバ２０の制御部２２が不許可リスト（図示を省略）として、あらかじめ記憶部２３に記憶している。そして、制御部２２は、動画データの送信者の電話番号を受信したときに、この電話番号が不許可リストにあるかどうかを調べる。もし、送信者の電話番後が不許可リストにあると、制御部２２は受信した動画データを破棄する。
【００６５】
こうして、この実施の形態によれば、不許可とした送信者からの画像データを破棄するので、迷惑画像等を排除することができる。これにより、実施の形態２と同様に、コンテンツ管理サーバ２０の記憶部２３の負担を軽減することができる。
【００６６】
（実施の形態４）
この実施の形態では、コンテンツ管理サーバ２０の制御部２２は、次の監視処理を定期的に行う。なお、この実施の形態では、先に説明した実施の形態１と同一もしくは同一と見なされる構成要素には、それと同じ参照符号を付けて、その説明を省略する。
【００６７】
この実施の形態では、コンテンツ管理サーバ２０の制御部２２は、記憶部２３に保存した動画データの経過期間を調べる。そして、制御部２２は、記憶部２３に保存した動画データが所定期間、例えば１週間を経過したときに、この動画データを記憶部２３から破棄する。
【００６８】
こうして、この実施の形態によれば、受信してから所定期間が経過した動画データを破棄するので、コンテンツ管理サーバ２０の記憶部２３の負担を軽減することができる。
【符号の説明】
【００６９】
１Ａ〜４Ａ  ルータ（通信装置）
１Ｂ〜４Ｂ  ＩＰ電話機
３Ｃ、４Ｃ  セットトップボックス（受信装置）
３Ｄ、４Ｄ  テレビ（受信装置）
１０  コンテンツ配信サーバ（配信装置）
１１  通信部
１２  制御部
１３  記憶部
２０  コンテンツ管理サーバ（管理装置）
２１  通信部
２２  制御部
２３  記憶部（記憶装置）
３０  ＳＩＰサーバ
ＤＢ１  電話帳データベース
ＤＢ２  保存情報データベース（第２のデータベース）
ＤＢ３  設定情報データベース（第１のデータベース）
ＮＷ  インターネット
【図１】
0005295299.tif 000002
【図２】
0005295299.tif 000003
【図３】
0005295299.tif 000004
【図４】
0005295299.tif 000005
【図５】
0005295299.tif 000006
【図６】
0005295299.tif 000007
【図７】
0005295299.tif 000008
【図８】
0005295299.tif 000009
【図９】
0005295299.tif 000010
【図１０】
0005295299.tif 000011
【図１１】
0005295299.tif 000012
【図１２】
0005295299.tif 000013
【図１３】
0005295299.tif 000014
【図１４】
0005295299.tif 000015